(57)【要約】【課題】  道路に沿って単管バリケードの単管が配置される場合でも、通行車両から見やすく、注意喚起することができる単管バリケード用支持脚を提供する。また、単管バリケードの設置場所に応じて、表示内容を容易に変更可能とする。【解決手段】  単管バリケード用支持脚１，１は、間隔を空けて配置され、その間に単管２を架け渡して、単管バリケードを構成する。この支持脚１には、単管２の軸方向と直交する面に、注意または案内の表示板６が着脱可能に保持される。【選択図】      図１
0003140829.tif 000002
【実用新案登録請求の範囲】
【請求項１】
間隔を空けて配置され、その間に単管を架け渡して単管バリケードを構成する単管バリケード用支持脚であって、
前記単管の軸方向と直交する面に、注意または案内の表示がなされる
ことを特徴とする単管バリケード用支持脚。
【請求項２】
前記表示は、前記支持脚に表示板が着脱可能に保持されてなされる
ことを特徴とする請求項１に記載の単管バリケード用支持脚。
【請求項３】
前記表示板は、前記支持脚の側端部から、外方へ突出して設けられる
ことを特徴とする請求項２に記載の単管バリケード用支持脚。
【請求項４】
ナットが埋設されており、このナットのネジ穴にねじ込まれる蝶ボルトにて前記表示板が着脱可能とされた
ことを特徴とする請求項２または請求項３に記載の単管バリケード用支持脚。
【請求項５】
前記支持脚および前記ナットの双方がプラスチック製とされた
ことを特徴とする請求項４に記載の単管バリケード用支持脚。
【考案の詳細な説明】
【技術分野】
【０００１】
本考案は、立入禁止場所や工事現場などを仕切るための単管バリケードに関するものである。特に、間隔を空けて配置され、その間に単管を架け渡して保持するための単管バリケード用支持脚（スタンドとも呼ばれる）に関するものである。
【背景技術】
【０００２】
立入禁止場所や工事現場などを仕切るために、単管バリケードが用いられる。単管バリケードは、間隔を空けて立てた左右の支持脚間に、単管と呼ばれるパイプを架け渡して構成される。
【０００３】
このような単管バリケードを、たとえば道路に沿って設置する場合、通行する人や車などに、「速度落とせ」などの各種表示を行いたい場合がある。従来、この種の表示は、単管に垂れ幕を取り付けて行っている。
【考案の開示】
【考案が解決しようとする課題】
【０００４】
しかしながら、単管に垂れ幕を取り付けると、ほとんどの場合、通行車両と並行的な位置関係に表示されることになる。すなわち、道路に沿って単管バリケードの単管が配置される場合、その単管に取り付けられた垂れ幕は、通行方向と直交する方向からは見やすいが、通行車両からは見にくい。
【０００５】
本考案が解決しようとする課題は、道路に沿って単管バリケードの単管が配置される場合でも、通行車両から見やすく、注意喚起することができる単管バリケード用支持脚を提供することである。ところで、単管バリケードの設置場所に応じて、表示すべき内容が異なるので、表示内容は容易に変更できるのが好ましい。
【課題を解決するための手段】
【０００６】
本考案は、前記課題を解決するためになされたもので、請求項１に記載の考案は、間隔を空けて配置され、その間に単管を架け渡して単管バリケードを構成する単管バリケード用支持脚であって、前記単管の軸方向と直交する面に、注意または案内の表示がなされることを特徴とする単管バリケード用支持脚である。なお、単管は、一対の支持脚間に架け渡されるが、少なくとも一方の支持脚に、注意または案内の表示が可能であれば足りる。そして、一対の支持脚の一方または双方に、前記表示がなされることになる。
【０００７】
請求項１に記載の考案によれば、単管の軸方向と直交する面に、注意または案内の表示がなされるので、道路に沿って単管バリケードの単管が配置される場合でも、通行車両から見やすく、注意喚起することができる。
【０００８】
請求項２に記載の考案は、前記表示は、前記支持脚に表示板が着脱可能に保持されてなされることを特徴とする請求項１に記載の単管バリケード用支持脚である。
【０００９】
請求項２に記載の考案によれば、注意または案内の表示板が支持脚に着脱可能であるから、単管バリケードの設置場所に応じて、その場所に最適な表示に容易に変更することができる。
【００１０】
請求項３に記載の考案は、前記表示板は、前記支持脚の側端部から、外方へ突出して設けられることを特徴とする請求項２に記載の単管バリケード用支持脚である。
【００１１】
請求項３に記載の考案によれば、注意または案内の表示板が支持脚の側端部から外方へ突出して設けられるので、通行車両などへの注意喚起を一層効果的に行うことができる。
【００１２】
請求項４に記載の考案は、ナットが埋設されており、このナットのネジ穴にねじ込まれる蝶ボルトにて前記表示板が着脱可能とされたことを特徴とする請求項２または請求項３に記載の単管バリケード用支持脚である。
【００１３】
請求項４に記載の考案によれば、蝶ボルトを用いることで、支持脚への表示板の着脱を容易に行うことができる。
【００１４】
さらに、請求項５に記載の考案は、前記支持脚および前記ナットの双方がプラスチック製とされたことを特徴とする請求項４に記載の単管バリケード用支持脚である。
【００１５】
請求項５に記載の考案によれば、表示板を取り付けるためのナットが、支持脚と同様に、プラスチックから形成される。従って、支持脚の廃棄時にナットを取り外して分別する必要がない。
【考案の効果】
【００１６】
本考案によれば、道路に沿って単管バリケードの単管が配置される場合でも、通行車両から見やすく、注意喚起することができる単管バリケード用支持脚を提供することができる。また、単管バリケードの設置場所に応じて、表示内容を容易に変更可能に構成することもできる。
【考案を実施するための最良の形態】
【００１７】
以下、本考案の単管バリケード用支持脚について、実施例に基づきさらに詳細に説明する。
【実施例１】
【００１８】
図１は、本考案の単管バリケード用支持脚の実施例１の使用状態を示す斜視図である。この図に示すように、支持脚１は、他の支持脚１および二本の単管２，２と共に、単管バリケードを構成する。すなわち、単管バリケードは、間隔を空けて対面して配置される前後一対の支持脚１，１と、この支持脚１，１間に架け渡される二本の単管２，２とを備える。
【００１９】
図１では、前後の支持脚１，１は、同一の構成とされる。各支持脚１は、プラスチックにより一体形成される。支持脚１は、その形状を特に問わないが、図示例では略Ａ字形状の厚肉で中空の板状とされる。具体的には、下方へ行くに従って互いに離隔するよう分岐する左右の支持片３，３と、この左右の支持片３，３の下端部同士を水平に架け渡す接続片４とにより、略Ａ字形状に一体形成される。
【００２０】
支持脚１の頂部、すなわち左右の支持片３，３同士の分岐部の上部には、単管２を着脱可能に保持するクランプ５が固定される。また、接続片４の左右方向中央部の上部にも、単管２を着脱可能に保持するクランプ５が固定される。
【００２１】
支持脚１の肩部には、表示板６が着脱可能に取付可能とされる。そのために、左右の支持片３，３の上部には、左右対称位置に、前面へ開口してネジ穴７が形成される。そして、このネジ穴７に、蝶ボルト８により表示板６が取付可能とされる。
【００２２】
図２および図３は、支持脚１への表示板６の取付部を示す図であり、図２は分解斜視図、図３は横断面図である。これらの図に示すように、本実施例では、支持片３の前面上部の左右対称位置にナット９，９が埋設されて、ネジ穴７が形成される。このナット９は、支持脚１を成形する際に固定してもよいし、成形後の支持脚１に後付けしてもよい。いずれにしても、ナット９は、そのネジ穴７が支持片３の前面へ開口して、支持片３に固定される。なお、ナット９の外周面には適宜の凹凸１０が形成されており、この凹凸１０により、支持脚１からのナット９の脱落が防止される。
【００２３】
ところで、ナット９は、支持脚１と同様に、プラスチック製とするのがよい。これにより、各支持脚１の廃棄時に、ゴミの分別のために、支持脚１からナット９を取り外す手間を省くことができる。
【００２４】
本実施例の表示板６は、円弧状に湾曲された中空の板状とされ、プラスチックにより一体形成される。表示板６の前面には、注意や案内の表示がなされる。たとえば、図示例では、「速度落とせ」との注意表示が縦書きされている。但し、表示内容は、これに限らず、「学童注意」、「走行注意」、「落下物注意」、「路面注意」、「凍結注意」または「スリップ注意」などとすることもできる。また、文字だけでなく、それに代えてまたはそれに加えて、図形や記号などを表示してもよい。
【００２５】
表示板６の前面には、その側端部から外方へ板状に延出して、支持脚１への取付片１１が一体形成されている。図示例では、この取付片１１は、外方へ行くに従って先細りとなるように、略三角形状に延出しており、その先端部は円弧状に形成されている。取付片１１には、その板面と垂直に、前後方向へ貫通してボルト挿通穴１２が形成されている。
【００２６】
このような構成の表示板６は、支持片３の前面に取付片１１の後面を重ね合わせた状態で、取付片１１のボルト挿通穴１２を介して、支持片３のネジ穴７にボルト８をねじ込むことで取り付けられる。このボルト８は、蝶ボルトとするのが好ましい。取付状態では、支持脚１に対し表示板６が回転しないように、支持脚１の一部に表示板６が当接されるのが好ましい。本実施例では、支持脚１の側面に表示板６の側面が当接することで、表示板６の回転が防止される。そのために、本実施例の表示板６は、支持片３の外側面に沿った形状とされている。
【００２７】
以上のような構成の支持脚１は、図１に示すように、前後に離隔して対面して配置され、その間に単管２が架け渡される。この際、支持脚１の頂部同士が単管２で架け渡されると共に、支持脚１の接続片４同士が単管２で架け渡される。前述したように、支持脚１には、左右の支持片３，３同士が交わる上端部と、接続片４の左右方向中央部とに、それぞれクランプ５を設けている。従って、このクランプ５を用いて、各単管２は支持脚１に接続される。このようにして、単管バリケードが構成される。なお、単管２とは、典型的には円筒状の金属製パイプである。
【００２８】
以上のように構成された単管バリケードは、立入禁止場所や工事現場などを仕切るのに用いられる。この単管バリケードには、従来と同様に単管２に垂れ幕を設けて表示できるが、これに代えてまたはこれに加えて、前述したように、左右の肩部の一方または双方に、表示板６を突出させて各種の表示を行うことができる。従って、従来よりも通行人や通行車両などに効果的に注意喚起することができる。
【００２９】
特に、道路に沿って単管バリケードの単管２を配置した場合でも、表示板６の内容を効果的に通行車両や通行人に見せることができる。すなわち、本実施例の構成によれば、各表示板６の板面の表示は、道路を通行する車両と対面する位置関係となる。従って、より視認しやすく、効果的に注意喚起することができる。
【００３０】
ところで、単管バリケードの設置場所に応じて、表示すべき内容が異なる場合がある。ところが、本実施例では、蝶ボルト８を用いて、表示板６が支持脚１に対して着脱可能とされ、その着脱作業は容易である。従って、表示内容の異なる複数種の表示板６を用意しておき、単管バリケードの設置場所に応じて、所望の表示板６を選択して取り付けて使用することができる。これにより、単管バリケードの設置場所に応じて、表示を容易に変更することができる。
【実施例２】
【００３１】
図４は、本考案の単管バリケード用支持脚の実施例２を示す正面図である。本実施例２の支持脚１も、基本的には前記実施例１と同様の構成である。そこで、以下においては、両者の異なる点を中心に説明し、対応する箇所には同一の符号を付して説明する。
【００３２】
前記実施例１では、表示板６は、支持脚１の肩部に設けられたが、本実施例２では、支持脚１の中央付近に設けられる。本実施例の表示板６は、略長方形の板材であり、両端部を残して、「速度落とせ」などの表示がなされる。この表示板６は、左右両端部を貫通して支持脚１にねじ込まれる蝶ボルト８にて、支持脚１の中央付近に水平に固定される。その他の構成および単管バリケードの構成は、前記実施例１と同様のため、説明は省略する。
【００３３】
本考案の単管バリケード用支持脚は、前記各実施例の構成に限らず、適宜変更可能である。特に、支持脚１の形状は、略Ａ字形状に限らず、適宜に変更可能である。たとえば、図５に示すように、略Ａ字形状の外観を基本としつつも、ペンギンの図形をあしらってもよい。さらに、略Ａ字形状やその変形に限らず、支持脚１の形状は適宜に変更可能である。たとえば、図６に示すような雪だるまの外観の板状や、カエルの外観の板状としてもよい。
【００３４】
ところで、図５の変形例では、「速度落とせ」などの表示がなされた表示板６は、その両端部をペンギンが持つように、各支持脚１と一体形成されるが、各支持脚１に対して着脱可能としてもよい。また、図６の変形例では、「学童注意」との表示がなされた表示板６は、雪だるまの手に形成したネジ穴７に着脱可能とされる。しかも、その表示板６は、「速度落とせ」、「安全運転」、「停止線」、「工事中」などとの表示がなされた他の表示板６と取替可能である。但し、図５と同様に、表示板６を各支持脚１と一体形成してもよい。
【００３５】
また、実施例１と実施例２とを複合してもよい。すなわち、実施例２の支持脚１の肩部に、実施例１と同様に、表示板６が着脱可能であってもよい。
【００３６】
前記各実施例では、表示板６は、前後双方の支持脚１に設けられたが、どちらか一方にのみ設けてもよい。また、前記実施例１では、支持脚１の左右にネジ穴７を設け、支持脚１の左右の肩部の一方または双方に表示板６を設置可能としたが、ネジ穴７は、左右の肩部の一方にのみ設けていてもよい。また、前記実施例１では、図１において支持脚１の前面にネジ穴７を設けたが、これに代えてまたはこれに加えて、支持脚１の後面にネジ穴７を設けてもよい。さらに、これらに代えてまたはこれらに加えて、ネジ穴７を支持脚１の側面に設けてもよい。この場合、表示板６の表示内容が道路を通行する車両と対面する位置関係となるように、表示板６に取付片１１が設けられる。
【００３７】
また、前記各実施例では、支持脚１にネジ穴７を設け、そのネジ穴７に表示板６を介して蝶ボルト８をねじ込む構成としたが、支持脚１からボルトを突出させ、そのボルトを表示板６に通した後、蝶ナットで固定する構成としてもよい。
【００３８】
支持脚１に対する表示板６の設置位置は、適宜に変更可能である。たとえば、支持脚１の上部に、上方へ延出して表示板６を設けてもよい。また、前記各実施例では、表示板６には、注意の表示がなされたが、「駐車場こちら」、「会場こちら」などの案内の表示がなされてもよい。
【００３９】
また、前記各実施例では、前後の各支持脚１を同一の構成として、それぞれに表示板６が取付可能としたが、一方の支持脚１には表示板６が取付不能な従来型のものでもよい。つまり、一方は、ネジ穴７が設けられない支持脚１としてもよい。
【００４０】
また、前記各実施例では、単管２の前後両端部が支持脚１に接続されたが、その中途部に他の支持脚１を設けてもよい。この場合、単管２は、その前後両端部が支持脚１に接続されると共に、中途部の支持脚１のクランプ５を貫通する。また、支持脚１の個数は、これらに限定されるものではなく、適宜変更可能である。また、前記実施例では、単管２の本数は二本としたが、その本数は限定されるものではなく、適宜変更可能である。
【００４１】
さらに、前記各実施例において、夜間などにおいて、各支持脚１や各表示板６を目立たせるために、各支持脚１や各表示板６の所定箇所に発光体を設けてもよい。たとえば、発光体は、通行車両などのライトの光を反射する反射材（反射板や反射テープなど）や、ランプまたは発光ダイオードとされる。発光ダイオードは、乾電池により発光されるが、その電池ケースは支持脚１に設けられる。
【図面の簡単な説明】
【００４２】
【図１】本考案の単管バリケード用支持脚の実施例１の使用状態を示す斜視図である。
【図２】支持脚への表示板の取付部を示す分解斜視図である。
【図３】支持脚への表示板の取付部を示す横断面図である。
【図４】本考案の単管バリケード用支持脚の実施例２を示す正面図である。
【図５】本考案の単管バリケード用支持脚の変形例である。
【図６】本考案の単管バリケード用支持脚の別の変形例である。
【符号の説明】
【００４３】
１  単管バリケード用支持脚
２  単管
６  表示板
７  ネジ穴
８  蝶ボルト
９  ナット
【図１】
0003140829.tif 000003
【図２】
0003140829.tif 000004
【図３】
0003140829.tif 000005
【図４】
0003140829.tif 000006
【図５】
0003140829.tif 000007
【図６】
0003140829.tif 000008